(57)【要約】【課題】記録媒体の再生時にコンテンツ作成者が意図した機能を十分に発揮でき、本来の機能が十分に発揮できない場合であっても、使用者に機能が制限されていることを知らせることができる記録媒体、再生装置、及び再生方法を提供する。【解決手段】本編情報、再生条件、メッセージ情報、及びプログラムを記録している記録媒体１であって、このプログラムは、記録媒体１から読み取られた再生条件を状態レジスタ２２に記憶されている装置情報と比較する処理と、読み取られた再生条件に一致する装置情報が状態レジスタ２２に存在すると判断したときに、本編情報を再生条件にしたがって再生する処理と、読み取られた再生条件に一致する装置情報が状態レジスタ２２に存在しないと判断したときに、メッセージ情報に基づく信号を出力機器３に出力する処理とを、再生装置２に実行させる。【選択図】図１
2010262717.tif 000002
【特許請求の範囲】
【請求項１】
自身の性能及び／又は状態に関する装置情報を記憶する装置情報記憶部を有する再生装置によって、再生可能な記録媒体であって、
映像及び／又は音声情報を含む本編情報、前記記録媒体が再生装置に要求する第１の再生条件、使用者に情報を提供するための第１のメッセージ情報、及び前記再生装置によって実行可能なプログラムを記録しており、
前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断する処理と、
前記第１の再生条件に基づく要求を満たすと判断したときに、前記本編情報を前記第１の再生条件にしたがって再生する処理と、
前記第１の再生条件に基づく要求を満たさないと判断したときに、前記第１のメッセージ情報に基づく信号を出力する処理と、
を前記再生装置に実行させる前記プログラムを記録したことを特徴とする記録媒体。
【請求項２】
前記装置情報記憶部に記憶されている前記装置情報は、前記再生装置の再生性能に関する情報を含むことを特徴とする請求項１に記載の記録媒体。
【請求項３】
前記第１の再生条件に基づく要求を満たすか否かの判断は、前記記録媒体から読み取られた前記第１の再生条件を前記装置情報記憶部に記憶されている前記装置情報と比較した結果に基づく判断であることを特徴とする請求項１又は２に記載の記録媒体。
【請求項４】
前記第１の再生条件と異なる第２の再生条件と、第２のメッセージ情報とをさらに記録しており、
前記第１の再生条件に基づく要求を満たさないと判断したときに、
前記記録媒体から読み取られた前記第２の再生条件及び前記装置情報記憶部に記憶されている前記装置情報に基づいて、前記再生装置の性能及び／又は状態が、前記第２の再生条件に基づく要求を満たすか否かを判断する処理と、
前記第２の再生条件に基づく要求を満たすと判断したときに、前記本編情報を前記第２の再生条件にしたがって再生する処理と、
前記第２の再生条件に基づく要求を満たさないと判断したときに、前記第２のメッセージ情報に基づく信号を出力する処理と、
を前記再生装置に実行させる前記プログラムを記録したことを特徴とする請求項１乃至３のいずれか１項に記載の記録媒体。
【請求項５】
前記第２の再生条件に基づく要求を満たすか否かの判断は、前記記録媒体から読み取られた前記第２の再生条件を前記装置情報記憶部に記憶されている前記装置情報と比較した結果に基づく判断であることを特徴とする請求項４に記載の記録媒体。
【請求項６】
前記装置情報記憶部に記憶されている前記装置情報は、前記再生装置に接続された又は前記再生装置の一部を構成する記憶装置の種類、接続状態、及び残容量のいずれかの情報を含むことを特徴とする請求項１に記載の記録媒体。
【請求項７】
前記第１の再生条件に基づく要求を満たすか否かの判断は、前記装置情報記憶部に記憶されている前記装置情報を構成する第１の情報と前記装置情報を構成する第２の情報とを比較した結果に基づく判断であることを特徴とする請求項１又は６に記載の記録媒体。
【請求項８】
前記装置情報記憶部に記憶されている前記装置情報は、再生時に前記本編情報に付加される付加情報を前記再生装置に供給する外部機器の接続状態又は前記外部機器自体の状態に関する情報を含み、
前記外部機器から前記付加情報を取得させる処理を前記再生装置に実行させる前記プログラムを記録したことを特徴とする請求項１乃至７のいずれか１項に記載の記録媒体。
【請求項９】
映像及び／又は音声情報を含む本編情報、前記記録媒体が再生装置に要求する第１の再生条件、使用者に情報を提供するための第１のメッセージ情報、及び前記再生装置によって実行可能なプログラムを記録する記録媒体を再生可能な再生装置であって、
前記再生装置の性能及び／又は状態に関する装置情報を記憶する装置情報記憶部と、
前記記録媒体から情報を読み取る再生部と、
前記記録媒体から読み取られた情報に基づく信号を出力機器に出力する出力部と、
前記再生部によって読み取られた前記プログラムを実行する制御部とを有し、
前記制御部は、前記記録媒体の前記プログラムを実行して、
前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断し、
前記第１の再生条件に基づく要求を満たすと判断したときに、前記再生部に前記本編情報を前記第１の再生条件にしたがって再生させ、
前記第１の再生条件に基づく要求を満たさないと判断したときに、前記第１のメッセージ情報に基づく信号を前記出力部から出力させる
ことを特徴とする再生装置。
【請求項１０】
前記装置情報記憶部に記憶されている装置情報は、前記再生装置の再生性能に関する情報を含むことを特徴とする請求項９に記載の再生装置。
【請求項１１】
前記第１の再生条件に基づく要求を満たすか否かの判断は、前記記録媒体から読み取られた前記第１の再生条件を前記装置情報記憶部に記憶されている前記装置情報と比較した結果に基づく判断であることを特徴とする請求項９又は１０に記載の再生装置。
【請求項１２】
前記記録媒体は、前記第１の再生条件と異なる第２の再生条件と、第２のメッセージ情報とをさらに記録しており、
前記制御部は、前記プログラムを実行して、
前記第１の再生条件に基づく要求を満たさないと判断したときに、
前記記録媒体から読み取られた前記第２の再生条件及び前記装置情報記憶部に記憶されている前記装置情報に基づいて、前記再生装置の性能及び／又は状態が、前記第２の再生条件に基づく要求を満たすか否かを判断し、
前記第２の再生条件に基づく要求を満たすと判断したときに、前記再生部に前記本編情報を前記第２の再生条件にしたがって再生させ、
前記第２の再生条件に基づく要求を満たさないと判断したときに、前記第２のメッセージ情報に基づく信号を前記出力部から出力させる、
ことを特徴とする請求項９乃至１１のいずれか１項に記載の再生装置。
【請求項１３】
前記第２の再生条件に基づく要求を満たすか否かの判断は、前記記録媒体から読み取られた前記第２の再生条件を前記装置情報記憶部に記憶されている前記装置情報と比較した結果に基づく判断であることを特徴とする請求項１２に記載の再生装置。
【請求項１４】
前記装置情報記憶部に記憶されている前記装置情報は、前記再生装置に接続された又は前記再生装置の一部を構成する記憶装置の種類、接続状態、及び残容量のいずれかの情報を含むことを特徴とする請求項９に記載の再生装置。
【請求項１５】
前記第１の再生条件に基づく要求を満たすか否かの判断は、前記装置情報記憶部に記憶されている前記装置情報を構成する第１の情報と前記装置情報を構成する第２の情報と比較した結果に基づく判断であることを特徴とする請求項９又は１４に記載の再生装置。
【請求項１６】
前記装置情報記憶部に記憶されている前記装置情報は、再生時に前記本編情報に付加される付加情報を前記再生装置に供給する外部機器の接続状態又は前記外部機器自体の状態に関する情報を含み、
前記制御部は、前記プログラムを実行することによって、前記外部機器から前記付加情報を取得させる処理を実行することを特徴とする請求項９乃至１５のいずれか１項に記載の再生装置。
【請求項１７】
映像及び／又は音声情報を含む本編情報、前記記録媒体が再生装置に要求する第１の再生条件、使用者に情報を提供するための第１のメッセージ情報、及び前記再生装置によって実行可能なプログラムを記録する記録媒体を再生可能な再生装置による再生方法であって、
前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断するステップと、
前記第１の再生条件に基づく要求を満たすと判断したときに、前記本編情報を前記第１の再生条件にしたがって再生するステップと、
前記第１の再生条件に基づく要求を満たさないと判断したときに、前記第１のメッセージ情報に基づく信号を出力するステップと、
を有することを特徴とする再生方法。
【発明の詳細な説明】
【技術分野】
【０００１】
本発明は、再生装置によって再生される映像及び／又は音声のコンテンツと実行されるプログラムとを記録した記録媒体、並びに、この記録媒体を再生する再生装置及び再生方法に関する。
【背景技術】
【０００２】
再生装置を動作させる動作シナリオ（プログラム）が記録された記録媒体の提案がある（例えば、特許文献１参照）。この動作シナリオは、再生装置の状態レジスタの情報から、再生装置がオーディオオンリータイプであるか否かを判定し、この判定の結果に基づいて、対話画面を表示させて又は対話画面を介さずに、デジタルストリームを再生させるように、再生装置を動作させている。
【先行技術文献】
【特許文献】
【０００３】
【特許文献１】再公表特許ＷＯ２００６／０８０４６２号公報（要約、第２８〜２９頁、第３９〜４２頁）
【発明の概要】
【発明が解決しようとする課題】
【０００４】
しかしながら、上記従来技術が提案するプログラムは、再生装置が有する機能に応じて自動的に再生機能が決定される。このようなプログラムを記録した記録媒体を再生する再生装置では、例えば、映画やアニメーションを記録した記録媒体を提供するコンテンツ作成者の意図又は意志（例えば、コンテンツ作成者が希望する本来の機能）が再生装置によって無断で制限され、しかも、再生装置の使用者は、コンテンツ作成者が希望するコンテンツ再生時の機能が制限されていることに気付かないことがあるという問題があった。
【０００５】
そこで、本発明は、上記従来技術の課題を解決するためになされたものであり、その目的は、記録媒体の再生時に記録媒体を提供するコンテンツ作成者が意図した機能を十分に発揮でき、また、本来の機能が十分に発揮できない場合であっても、使用者に機能が制限されていることを知らせることができる記録媒体、再生装置、及び再生方法を提供することにある。
【課題を解決するための手段】
【０００６】
本発明に係る記録媒体は、自身の性能及び／又は状態に関する装置情報を記憶する装置情報記憶部を有する再生装置によって、再生可能な記録媒体であって、映像及び／又は音声情報を含む本編情報、前記記録媒体が再生装置に要求する第１の再生条件、使用者に情報を提供するための第１のメッセージ情報、及び前記再生装置によって実行可能なプログラムを記録しており、前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断する処理と、前記第１の再生条件に基づく要求を満たすと判断したときに、前記本編情報を前記第１の再生条件にしたがって再生する処理と、前記第１の再生条件に基づく要求を満たさないと判断したときに、前記第１のメッセージ情報に基づく信号を出力する処理と、を前記再生装置に実行させる前記プログラムを記録したことを特徴としている。
【０００７】
また、本発明に係る再生装置は、映像及び／又は音声情報を含む本編情報、前記記録媒体が再生装置に要求する第１の再生条件、使用者に情報を提供するための第１のメッセージ情報、及び前記再生装置によって実行可能なプログラムを記録する記録媒体を再生可能な再生装置であって、前記再生装置の性能及び／又は状態に関する装置情報を記憶する装置情報記憶部と、前記記録媒体から情報を読み取る再生部と、前記記録媒体から読み取られた情報に基づく信号を出力機器に出力する出力部と、前記再生部によって読み取られた前記プログラムを実行する制御部とを有し、前記制御部は、前記記録媒体の前記プログラムを実行して、前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断し、前記第１の再生条件に基づく要求を満たすと判断したときに、前記再生部に前記本編情報を前記第１の再生条件にしたがって再生させ、前記第１の再生条件に基づく要求を満たさないと判断したときに、前記第１のメッセージ情報に基づく信号を前記出力部から出力させることを特徴としている。
【０００８】
また、本発明に係る再生方法は、映像及び／又は音声情報を含む本編情報、前記記録媒体が再生装置に要求する第１の再生条件、使用者に情報を提供するための第１のメッセージ情報、及び前記再生装置によって実行可能なプログラムを記録する記録媒体を再生可能な再生装置による再生方法であって、前記記録媒体から読み取られた前記第１の再生条件及び前記装置情報記憶部に記憶されている前記装置情報に基づいて、前記再生装置の性能及び／又は状態が、前記第１の再生条件に基づく要求を満たすか否かを判断するステップと、前記第１の再生条件に基づく要求を満たすと判断したときに、前記本編情報を前記第１の再生条件にしたがって再生するステップと、前記第１の再生条件に基づく要求を満たさないと判断したときに、前記第１のメッセージ情報に基づく信号を出力するステップと、を有することをとしている。
【発明の効果】
【０００９】
本発明によれば、記録媒体の再生時に記録媒体を提供するコンテンツ作成者が意図した機能を十分に発揮でき、また、本来の機能が十分に発揮できない場合であっても、使用者に機能が制限されていることを知らせることができるという効果がある。
【図面の簡単な説明】
【００１０】
【図１】本発明の実施の形態１〜３に係る記録媒体、この記録媒体を再生する再生装置、この再生装置に接続される外部機器及び出力機器の一例を概略的に示すブロック図である。
【図２】本発明の実施の形態１に係る記録媒体を再生する再生装置内の状態レジスタの情報格納領域の一例と情報格納領域に記録される情報の例を示す図である。
【図３】（ａ）乃至（ｃ）は、実施の形態１に係る記録媒体に予め記録されているメッセージ情報（例えば、映像情報及び／又はグラフィックス情報）の例を示す図である。
【図４】実施の形態１に係る記録媒体を再生装置で再生するときの動作の一例を示すフローチャートである。
【図５】本発明の実施の形態２に係る記録媒体を再生する再生装置内の状態レジスタの情報格納領域の一例と情報格納領域に記録される情報の例を示す図である。
【図６】（ａ）乃至（ｄ）は、実施の形態２に係る記録媒体に予め記録されているメッセージ情報（例えば、映像情報及び／又はグラフィックス情報）の例を示す図である。
【図７】実施の形態２に係る記録媒体を再生する再生装置内の状態レジスタの情報格納領域の一例と情報格納領域に記録される情報の例を示す図である。
【図８】実施の形態２に係る記録媒体を再生装置で再生するときの動作の一例を示すフローチャートである。
【図９】本発明の実施の形態３に係る記録媒体を再生する再生装置内の状態レジスタの情報格納領域の一例と情報格納領域に記録される情報の例を示す図である。
【図１０】（ａ）乃至（ｄ）は、実施の形態３に係る記録媒体に予め記録されているメッセージ情報（例えば、映像情報及び／又はグラフィックス情報）の例を示す図である。
【図１１】実施の形態３に係る記録媒体を再生装置で再生するときの動作の一例を示すフローチャートである。
【発明を実施するための形態】
【００１１】
実施の形態１．
図１は、本発明の実施の形態１に係る記録媒体１、これを再生する再生装置２、再生装置２に接続された外部機器４、及び再生装置２に接続された出力機器３の一例を概略的に示すブロック図である。実施の形態１に係る記録媒体１は、例えば、記録情報が光学的に読み取られる光学ディスクである。ただし、記録媒体１の種類は光学ディスクに限定されず、例えば、磁気ディスク、半導体メモリ、ハードディスクのような他の媒体であってもよい。記録媒体１は、再生装置２に装着され、再生される。記録媒体１は、再生装置２によって再生される映像及び／又は音声などのコンテンツと、再生装置によって実行されるプログラムとを記録している。記録媒体１に記録されているコンテンツは、映像及び／又は音声情報を含む本編情報と、記録媒体１が再生装置２に要求する再生条件と、使用者に情報を提供するための映像、音声、グラフィックスなどの情報であるメッセージ情報とを含んでいる。
【００１２】
再生装置２は、例えば、ハードディスクなど記憶装置であるローカルストレージ２１と、再生装置自身の性能（例えば、再生能力など）及び／又は状態（例えば、外部機器の接続状態又は外部機器自体の状態など）に関する装置情報を記憶する装置情報記憶部としての状態レジスタ２２と、記録媒体１から情報を読み取る再生部２３と、記録媒体１から読み取られた情報に基づく信号を出力機器３に出力する出力部２４と、外部機器４に接続される外部機器用インタフェース２５と、操作パネル又はリモコンなどの操作部２６と、再生部２３によって読み取られた記録媒体１のプログラムを実行する制御部２７とを有している。ローカルストレージ２１は、再生装置２に内蔵された機器であるが、再生装置２にケーブルを介して接続される外付け機器であってもよい。
【００１３】
出力機器３は、例えば、再生装置２にケーブルなどによって接続されるテレビ３１と、再生装置２にケーブルなどによって接続されるオーディオアンプ３２と、オーディオアンプ３２を介して再生装置２に接続されるスピーカー３３，…，３７とを有している。
【００１４】
外部機器４は、例えば、インターネットなどのネットワークを介して接続されるサーバ、又は、外付けの機器（例えば、半導体メモリ）などである。再生装置２は、記録媒体１に記録されているプログラムに基づいて動作して、外部機器４から記録媒体１のコンテンツに関連する付加情報を入手して、再生装置２内のローカルストレージ２１に記録する。再生装置２は、記録媒体１に記録されているプログラムにしたがって同載して、記録媒体１の再生時に、ローカルストレージ２１に記録された付加情報を、例えば、記録媒体１に記録されている本編情報と一体として扱い、出力機器３に出力する。
【００１５】
実施の形態１においては、再生装置２の制御部２７は、記録媒体１に記録されているプログラムを実行して、再生装置２を次のように動作させる。すなわち、記録媒体１に記録されているプログラムは、再生装置２を次のように動作させる。記録媒体１は、記録媒体１から読み取られた再生条件及び状態レジスタ２２に記憶されている装置情報に基づいて、再生装置２の性能及び／又は状態が、記録媒体１から読み取られた前記再生条件に基づく要求を満たすか否かを判断する処理と、記録媒体１から読み取られた前記再生条件第１の再生条件に基づく要求を満たすと判断したときに、本編情報を記録媒体１から読み取られた再生条件にしたがって再生する処理と、前記第１の再生条件に基づく要求を満たさないと判断したときに、記録媒体１に記録されているメッセージ情報に基づく信号を出力する処理と、を再生装置２に実行させるプログラムを記録している。より具体的に言えば、再生装置２は、記録媒体１に記録されているプログラムにしたがって、記録媒体１から読み取られた再生条件、例えば、最適な再生条件、を再生装置２内の状態レジスタ２２に記憶されている装置情報と比較し、この比較の結果、読み取られた再生条件に一致する装置情報が状態レジスタ２２に存在すると判断したときに（最適な再生条件を再生装置２が満たしているときに）、読み取られた再生条件にしたがって本編情報を再生させる。また、再生装置２は、記録媒体１に記録されているプログラムにしたがって、再生条件についての比較の結果、読み取られた再生条件に一致する装置情報が状態レジスタ２２に存在しないと判断したときに（最適な再生条件を再生装置２が満たしていないときに）、記録媒体１に記録されているメッセージ情報に基づく信号を出力部２４から出力機器３に出力させ、使用者にメッセージを通知する。
【００１６】
図２は、本発明の実施の形態１に係る記録媒体１を再生する再生装置２内の状態レジスタ２２の情報格納領域の一例と情報格納領域に記録される情報の例を示す図である。図２には、状態レジスタ２２の記憶領域として、字幕情報の記憶領域Ｌａ＃（＃＝０，１，…，７）と、音声情報の記憶領域Ａｕ＃（＃＝０，１，…，７）と、アングル情報の記憶領域Ａｎ＃（＃＝０，１，…，７）と、復号化能力情報の記憶領域Ｃａ０，Ｃａ１，Ｃｂ０，Ｃｂ１，Ｃｃ０，Ｃｃ１，Ｃｄ０，Ｃｄ１とが示されている。なお、整数値＃は、上記値に限定されず、６個以下又は９個以上の整数値とすることもできる。
【００１７】
記録媒体１に、例えば、日本語字幕、英語字幕、フランス語字幕、韓国語字幕のすべて又は、これらの字幕の内の幾つかのように、複数の言語の字幕が記録されている場合がある。例えば、再生装置２の使用者が、操作部２６から出力機器３で表示する字幕情報の設定操作を行い、状態レジスタ２２の字幕情報の記憶領域Ｌａ＃を、
｛Ｌａ７，Ｌａ６，Ｌａ５，Ｌａ４，Ｌａ３，Ｌａ２，Ｌａ１，Ｌａ０｝
＝｛０，０，０，０，０，０，０，０｝
と設定した場合には、再生装置２は、記録媒体１に記録されている日本語字幕を再生し、
状態レジスタ２２の字幕情報の記憶領域Ｌａ＃を、
｛Ｌａ７，Ｌａ６，Ｌａ５，Ｌａ４，Ｌａ３，Ｌａ２，Ｌａ１，Ｌａ０｝
＝｛０，０，０，０，０，０，０，１｝
と設定した場合には、再生装置２は、記録媒体１に記録されている英語字幕を再生し、
状態レジスタ２２の字幕情報の記憶領域Ｌａ＃を、
｛Ｌａ７，Ｌａ６，Ｌａ５，Ｌａ４，Ｌａ３，Ｌａ２，Ｌａ１，Ｌａ０｝
＝｛０，０，０，０，０，０，１，０｝
と設定した場合には、再生装置２は、記録媒体１に記録されているフランス語字幕を再生し、
状態レジスタ２２の字幕情報の記憶領域Ｌａ＃を、
｛Ｌａ７，Ｌａ６，Ｌａ５，Ｌａ４，Ｌａ３，Ｌａ２，Ｌａ１，Ｌａ０｝
＝｛０，０，０，０，０，０，１，１｝
と設定した場合には、再生装置２は、記録媒体１に記録されている韓国語字幕を再生する。
【００１８】
また、再生装置２の使用者が操作部２６から出力機器３で出力される音声情報の設定操作を行い、状態レジスタ２２における音声情報の記憶領域Ａｕ＃（＃＝０，１，…，７）の情報を変更すると、再生装置２は、再生時に、記録媒体１に記録されている複数の音声情報、例えば、日本語主音声、日本語副音声、映像音声、フランス語音声、韓国語音声を選択的に再生し出力する。
【００１９】
また、再生装置２の使用者が操作部２６から出力機器３で表示される画像のアングル情報の設定操作を行い、状態レジスタ２２におけるアングル情報の記憶領域Ａｎ＃（＃＝０，１，…，７）の情報を変更すると、再生装置２は、再生時に、記録媒体１に記録されている複数のアングル表示情報、例えば、主アングル表示、第１副アングル表示、第２副アングル表示、第３副アングル表示のいずれかを選択し、選択されたアングル表示に基づく画像を再生し出力する。
【００２０】
また、再生装置２の使用者が操作部２６から復号化能力情報の設定操作を行い、状態レジスタ２２における復号化能力情報の記憶領域Ｃａ０，Ｃａ１，Ｃｂ０，Ｃｂ１，Ｃｃ０，Ｃｃ１，Ｃｄ０，Ｃｄ１の情報を変更すると、再生装置２は、記録媒体１に記録されている複数の再生方式のいずれかを用いて再生し出力する。図２に示す再生能力を示す情報の一例では、例えば、再生方式として復号化方式〈Ａ〉、復号化方式〈Ｂ〉、復号化方式〈Ｃ〉、復号化方式〈Ｄ〉の４種類の復号化方式があり、それぞれの復号化方式について、サラウンド再生可能な場合、ステレオ再生可能な場合、モノラル再生可能な場合、復号化方式が不可能な場合がある。また、再生能力を示す情報の他の例としては、実行可能な復号化方式〈Ａ〉についてはモノラル再生のみしか復号化能力がないのか、又は、ステレオ再生までしか復号化能力がない（すなわち、モノラル再生の復号化能力とステレオ再生の復号化能力がある）のか、又は、サラウンド再生まで復号化能力が存在する（すなわち、モノラル再生の復号化能力とステレオ再生の復号化能力とサラウンド再生まで復号化能力がある）のかという情報がある。
【００２１】
次に、記録媒体１に復号化方式〈Ａ〉のサラウンド再生用情報と復号化方式〈Ｂ〉のステレオ再生用情報とが記録されており、記録媒体１のコンテンツ作成者は、復号化方式〈Ａ〉のサラウンド再生された音声での視聴が最も望ましい再生方式（最適な再生条件）であり、復号化方式〈Ｂ〉のステレオ再生された音声での視聴が次善の再生方式である場合を説明する。このときに、再生装置２が、復号化方式〈Ａ〉及び復号化方式〈Ｂ〉のいずれに関してもステレオ再生の復号化能力しかない場合を例として説明する。この場合には、再生装置２内の状態レジスタ２２の記憶領域Ｃｄ１，Ｃｄ０，Ｃｃ１，Ｃｃ０，Ｃｂ１，Ｃｂ０，Ｃａ１，Ｃａ０が、
｛Ｃｄ１，Ｃｄ０，Ｃｃ１，Ｃｃ０，Ｃｂ１，Ｃｂ０，Ｃａ１，Ｃａ０｝
＝｛０，０，０，０，１，０，１，０｝
に設定されている場合を例に説明する。
【００２２】
この場合、再生装置２に記録媒体１が挿入されると、記録媒体１に記録されているプログラムに基づいて制御部２７は、状態レジスタ２２内の記憶領域Ｃｄ１，Ｃｄ０，Ｃｃ１，Ｃｃ０，Ｃｂ１，Ｃｂ０，Ｃａ１，Ｃａ０のデータを読み出し、記録媒体１に記録されている復号化方式〈Ａ〉のサラウンド再生が再生装置２では不可能であることを、また、復号化方式〈Ｂ〉のステレオ再生は再生装置２で出力可能なことを認識する。この場合、プログラムに基づいて動作する制御部２７は、記録媒体１に予め記録されているメッセージ情報（例えば、映像情報又はグラフィックス）の中で、再生装置２の再生能力が記録媒体１のコンテンツ作成者の希望する再生条件を満たしていないことを示すメッセージ情報（例えば、映像情報又はグラフィックス情報など）を本編情報の再生前に表示、又は、本編情報の再生中に挿入する。また、次善の再生方式を示すメッセージ情報（例えば、映像情報又はグラフィックス情報など）を本編情報の再生前に表示又は本編情報の再生中に挿入するようにしてもよい。
【００２３】
図３（ａ）乃至（ｃ）は、実施の形態１に係る記録媒体１に予め記録されているメッセージ情報（例えば、映像情報及びグラフィックス情報）の例を示す図である。図３（ａ）及び（ｂ）は、最適な再生条件で再生できないことを通知するメッセージ情報の例であり、図３（ｃ）は、最適な再生条件で再生できないこと及び次善の再生条件を通知するメッセージ情報の例である。
【００２４】
図４は、実施の形態１に係る記録媒体１を再生装置２で再生するときの動作（すなわち、実施の形態１に係る再生方法）の一例を示すフローチャートである。図４に基づいて、実施の形態１に係る記録媒体１に記録されているプログラム、再生装置２の動作、及び記録媒体１の再生方法を説明する。ここでは、記録媒体１のコンテンツ作成者が希望する再生条件と、再生装置２の再生性能を示す装置情報とを比較し、その比較結果に基づいて記録媒体１に記録されているメッセージ情報を選択して表示する方法について説明する。
【００２５】
再生装置２の制御部２７は、記録媒体１に記録されているプログラムに基づいて、再生装置２の再生動作を以下のように制御する。すなわち、記録媒体１には、再生装置２の再生動作を以下のように実行させるプログラムが記録されている。先ず、記録媒体１が再生装置２に挿入されると（ステップＳ１１）、再生装置２は、記録媒体１に記録されているコンテンツを再生できる状態になる（ステップＳ１２）。次に、再生装置２は、自身の装置状態を示す情報を状態レジスタ２２から読み出す（ステップＳ１３）。次に、再生装置２は、状態レジスタ２２から読み出された装置情報から、再生装置２が、記録媒体１が要求する最適な再生条件を満たしているか否かを判断し、満たしていると判断すれば（ステップＳ１４）、最適な再生条件で記録媒体１に記録されている本編情報を再生して（ステップＳ１８）、処理を終了する（ステップＳ１９）。ステップＳ１４において、再生装置２は、状態レジスタ２２に記憶されている装置情報から、再生装置２が、記録媒体１が要求する最適な再生条件を満たしているか否かを判断し、最適な再生条件を満たしていないと判断すれば、再生装置２が、記録媒体１が要求する次善の再生条件を満たしているか否かを判断する（ステップＳ１５）。ステップＳ１５において、再生装置２は、状態レジスタ２２に記憶されている装置情報から、再生装置２が次善の再生条件を満たしていると判断すれば、記録媒体１に予め記録してあるメッセージ情報（例えば、図３（ｃ）に示す「最適条件ではない」旨の表示）を再生し（ステップＳ１６）、再生装置２が、記録媒体１が要求する次善の再生条件で記録媒体１のコンテンツである本編情報を再生し（ステップＳ１８）、処理を終了する（ステップＳ１９）。また、ステップＳ１５において、再生装置２は、再生装置２が記録媒体１が要求する次善の再生条件を満たしていないと判断すれば、記録媒体１に予め記録してあるメッセージ情報（例えば、「再生条件を満たしていないため再生を行わない」旨の表示）を再生し、処理を終了する（ステップＳ１９）。
【００２６】
図４に示される例においては、ステップＳ１５の処理において、記録媒体１が再生に際し次善の再生条件を満たしていない場合には、記録媒体１のコンテンツである本編情報を再生することなく終了（ステップＳ１９）する場合を説明したが、図４のステップＳ１７の処理に代えて、「再生条件を満たしていない」旨の表示とともに再生（ステップＳ１８に相当する処理）を実行した上で、処理を終了させることもできる（ステップＳ１９）。
【００２７】
以上に説明したように、実施の形態１に係る記録媒体１、記録媒体１の再生装置２、又は記憶媒体１の再生方法によれば、再生装置２の使用者は、記録媒体１の最適な再生条件による再生でない場合に、最適な再生条件による再生ではないことを理解することができる。また、再生装置２の使用者は、例えば、図３（ａ）乃至（ｃ）のようなメッセージを出力機器３に出力させることによって、記録媒体１の最適な再生を得るための必要な条件を認識することも可能になる。このため、記録媒体１を再生したい使用者は、再生装置２の設定を最適な再生条件による再生を実行可能な設定に変更する操作を行ったり、又は、最適な再生条件を実行可能な他の再生装置による記録媒体１の再生を行ったりすることができる。
【００２８】
また、再生装置２の使用者は、最適な再生条件による記録媒体１の再生ができないときであっても記録媒体１の次善の再生条件を知ることが可能になる。このため、再生装置２の使用者は、最適な再生条件による再生が実現できない場合であっても、再生装置２の設定を次善の再生条件による再生を実行可能な設定に変更する操作を行ったり、又は、次善の再生条件を実行可能な他の再生装置による記録媒体１の再生を行ったりすることができる。
【００２９】
また、実施の形態１に係る記録媒体１のプログラムを、コンテンツ作成者が要求する最適な再生条件を満たさないときに、又は、最適な再生条件と次善の再生条件の両方を満たさないときに、記録媒体１に記録されているコンテンツを再生させないプログラムとすることも可能である。
【００３０】
実施の形態２．
本発明の実施の形態２においては、記録媒体１に記録されているプログラムに基づいて、再生装置２が、外部機器４から記録媒体１のコンテンツに関連する付加情報を取り込み、ローカルストレージ２１に記録する場合を説明する。なお、実施の形態２の説明に際しては、図１をも参照する。
【００３１】
図５は、本発明の実施の形態２に係る記録媒体１を再生する再生装置２内の状態レジスタ２２の情報格納領域の一例と情報格納領域に記録される情報の例を示す図である。ローカルストレージ２１は、例えば、再生装置２に内蔵されているハードディスク、又は、再生装置２に内蔵されている（使用者は着脱できない）半導体メモリ、又は、再生装置２に接続される着脱可能な外部メモリである。ただし、ローカルストレージ２１は、上記以外の記憶手段であってもよい。
【００３２】
実施の形態２においては、図５に示されるように、状態レジスタ２２に、ローカルストレージ２１の種類を示す情報を記憶する状態レジスタ２２の記憶領域Ｌｓ＃（＃＝０，１，…，７）と、再生装置２に接続されるローカルストレージ２１の接続状態を示す情報を記憶する状態レジスタ２２の記憶領域Ｌｌ＃（＃＝０，１，…，７）とが設けられている。例えば、ローカルストレージ２１が再生装置２に内蔵されているハードディスクである場合には、ローカルストレージ２１の種類を示す情報を記憶する状態レジスタ２２の記憶領域Ｌｓ０に「１」を設定し、ローカルストレージ２１が再生装置２に内蔵されている記憶素子（半導体メモリ）である場合には、ローカルストレージ２１の種類を示す情報を記憶する状態レジスタ２２の記憶領域Ｌｓ１に「１」を設定し、ローカルストレージ２１が再生装置２に着脱可能なハードディスクである場合には、ローカルストレージ２１の種類を示す情報を記憶する状態レジスタ２２の記憶領域Ｌｓ２に「１」を設定し、ローカルストレージ２１が再生装置２に着脱可能な記憶素子（半導体メモリ）である場合には、ローカルストレージ２１の種類を示す情報を記憶する状態レジスタ２２の記憶領域Ｌｓ３に「１」を設定する。ローカルストレージ２１の種類を示す情報を記憶する状態レジスタ２２の記憶領域Ｌｓ４，Ｌｓ５，Ｌｓ６，Ｌｓ７は、後に増加するローカルストレージ２１の種類設定用として未定義、すなわち、「０」を設定する。
【００３３】
ローカルストレージ２１の接続状態を示す情報を記憶する状態レジスタ２２の記憶領域Ｌｌ＃に関しては、ローカルストレージ２１として内蔵ハードディスクが接続されている状態では、ローカルストレージ２１の接続状態を示す情報を記憶する状態レジスタ２２の記憶領域Ｌｌ０に「１」を設定し、ローカルストレージ２１として内蔵ハードディスクが接続されていない状態では、ローカルストレージ２１の接続状態を示す情報を記憶する状態レジスタ２２の記憶領域Ｌｌ０に「０」を設定する。同様に、ローカルストレージ２１として着脱不可能な記憶素子（半導体メモリ）が接続されている状態では、ローカルストレージ２１の接続状態を示す情報を記憶する状態レジスタ２２の記憶領域Ｌｌ１に「１」を設定し、ローカルストレージ２１として着脱不可能な記憶素子（半導体メモリ）が接続されていない状態では、ローカルストレージ２１の接続状態を示す情報を記憶する状態レジスタ２２の記憶領域Ｌｌ１に「０」を設定する。また、ローカルストレージ２１として着脱可能なハードディスクが接続されている状態では、ローカルストレージ２１の接続状態を示す情報を記憶する状態レジスタ２２の記憶領域Ｌｌ２に「１」を設定し、ローカルストレージ２１として着脱可能なハードディスクが接続されていない状態では、ローカルストレージ２１の接続状態を示す情報を記憶する状態レジスタ２２の記憶領域Ｌｌ２に「０」を設定する。また、ローカルストレージ２１として着脱可能な記憶素子（半導体メモリ）が接続されている状態では、ローカルストレージ２１の接続状態を示す情報を記憶する状態レジスタ２２の記憶領域Ｌｌ３に「１」を設定し、ローカルストレージ２１として着脱可能な記憶素子（半導体メモリ）が接続されていない状態では、ローカルストレージ２１の接続状態を示す情報を記憶する状態レジスタ２２の記憶領域Ｌｌ３に「０」を設定する。ローカルストレージ２１の接続状態を示す情報を記憶する状態レジスタ２２の記憶領域Ｌｌ４，Ｌｌ５，Ｌｌ６，Ｌｌ７に関しては、対応するローカルストレージ２１の種類が未定義のため、すべて「０」を設定する。すなわち、図５の例では、ローカルストレージ２１の接続状態を示す情報を記憶する状態レジスタ２２の記憶領域Ｌｌ＃は、ローカルストレージ２１の種類を示す情報を記憶する状態レジスタ２２の記憶領域Ｌｓ＃が「１」に設定されているＬｓ０，Ｌｓ１，Ｌｓ２，Ｌｓ３だけで、「１」を設定可能である。
【００３４】
例えば、再生装置２は、ローカルストレージ２１として着脱可能な半導体メモリを使用し、その半導体メモリが再生装置２に接続されていない場合について説明する。この場合、図５に示す状態レジスタ２２のローカルストレージ２１の種類を示す情報を記憶する状態レジスタ２２の記憶領域Ｌｓ＃は、
｛Ｌｓ７，Ｌｓ６，Ｌｓ５，Ｌｓ４，Ｌｓ３，Ｌｓ２，Ｌｓ１，Ｌｓ０｝
＝｛０，０，０，０，１，０，０，０｝
と設定され、ローカルストレージ２１の接続状態を示す情報を記憶する状態レジスタ２２の記憶領域Ｌｌ＃は、
｛Ｌｌ７，Ｌｌ６，Ｌｌ５，Ｌｌ４，Ｌｌ３，Ｌｌ２，Ｌｌ１，Ｌｌ０｝
＝｛０，０，０，０，０，０，０，０｝
と設定される。
【００３５】
図６（ａ）乃至（ｄ）は、実施の形態２に係る記録媒体１に予め記録されているメッセージ情報（例えば、映像情報及びグラフィックス情報）の例を示す図である。実施の形態２においては、記録媒体１に、例えば、図６（ａ）乃至（ｄ）に示すように、ローカルストレージ２１の種類毎にローカルストレージ２１の接続状態に関する装置情報が予め記録されている。記録媒体１が再生装置２に挿入され、記録媒体１のコンテンツに関連する付加情報を外部機器４から取得する状態になると、記録媒体１に記憶されているプログラムに基づいて再生装置２は、状態レジスタ２２のローカルストレージ２１の種類を示す情報を記憶する状態レジスタ２２の記憶領域Ｌｓ＃とローカルストレージ２１の接続状態を示す情報を記憶する状態レジスタ２２の記憶領域Ｌｌ＃とを、同じ値の＃毎に比較する。このとき、再生装置２が、再生装置２のローカルストレージ２１となる着脱可能な記憶素子が接続されていないことを認識すると、図６（ｄ）の表示をするためのメッセージ情報を記録媒体１から読み出し、出力機器３に出力する。
【００３６】
実施の形態２によれば、記録媒体１に記録されているプログラムに基づいて動作する再生装置２は、記録媒体１のコンテンツに関連する付加情報を入手する場合におけるローカルストレージ２１の障害を具体的に外部機器３に表示させて、使用者に認識させることができる。また、記録媒体１に記録されているプログラムに基づいて動作する再生装置２は、記録媒体１のコンテンツに関連する付加情報を入手する場合の障害の克服手段を、具体的に外部機器３に表示させて、使用者に認識させることができる。
【００３７】
また、ローカルストレージ２１の種類を、状態レジスタ２２におけるローカルストレージ２１の種類を示す情報を記憶する状態レジスタ２２の記憶領域Ｌｓ＃の値によって、具体的商品名毎に分類し、また、記録媒体１には、状態レジスタ２２におけるローカルストレージ２１の種類を示す情報を記憶する状態レジスタ２２の記憶領域Ｌｓ＃の種類毎にローカルストレージ２１の接続に関するコンテンツ（メッセージ情報）を予め記録しておけば、再生装置２の使用者は、ローカルストレージ２１の商品名を認識することができる。このため、ローカルストレージ２１と再生装置２の取扱説明書との対応が容易になり、記録媒体１のコンテンツに関連する付加情報を入手する場合に障害になっているローカルストレージ２１を、より具体的に認識することが可能となる。
【００３８】
次に、実施の形態２において、状態レジスタ２２にローカルストレージ２１の残容量、すなわち、ローカルストレージ２１がさらに記録できる情報量を示す記憶領域Ｌｃ＃（＃＝０，１，…，７）を設ける場合について説明する。例えば、ローカルストレージ２１の残容量の記憶領域Ｌｃ＃は、ローカルストレージ２１の残容量をギガバイト（ＧＢｙｔｅ）単位で表した場合の２進表示とする。例えば、ローカルストレージ２１の残容量の記憶領域Ｌｃ＃が、
｛Ｌｃ７，Ｌｃ６，Ｌｃ５，Ｌｃ４，Ｌｃ３，Ｌｃ２，Ｌｃ１，Ｌｃ０｝
＝｛０，０，０，０，１，０，１，０｝
と設定されていれば、ローカルストレージ２１の残容量は、次式
（残容量）＝２７×Ｌｃ７＋２６×Ｌｃ６＋２５×Ｌｃ５＋２４×Ｌｃ４＋２３
×Ｌｃ３＋２２×Ｌｃ２＋２×Ｌｃ１＋Ｌｃ０      （ＧＢｙｔｅ）
から、
２３×Ｌｃ３＋２１×Ｌｃ１＝２３×１＋２１×１＝８＋２＝１０
であり、１０ギガバイト（ＧＢｙｔｅ）となる。
【００３９】
記録媒体１に記録されているプログラムに基づいて動作する再生装置２は、以下のように動作する。記録媒体１のコンテンツに関連する付加情報の量（以下「付加情報量」とも言う。）が予め記録媒体１に記録されている場合には、記録媒体１が再生装置２に挿入され、記録媒体１のコンテンツに関連する付加情報を、外部機器４からローカルストレージ２１に取得する状態になると、再生装置２はローカルストレージ２１の残容量を確認し、状態レジスタ２２のローカルストレージ２１の残容量の記憶領域Ｌｃ＃に残容量を記録する。記録媒体１に記録されているプログラムに基づいて動作する再生装置２は、予め記録媒体１に記録されている付加情報量と、状態レジスタ２２のローカルストレージ２１の残容量の記憶領域Ｌｃ＃に記録されている値とを比較し、ローカルストレージ２１の残容量が付加情報量より少ない場合には、記録媒体１のコンテンツに関連する付加情報の取得前に、ローカルストレージ２１の残容量が少ないことを表す映像又はグラフィックスを表示する。
【００４０】
また、記録媒体１に付加情報量が記録されておらず、記録媒体１のコンテンツに関連する付加情報を取得する外部機器４から付加情報量が送信される場合には、記録媒体１が再生装置２に挿入され、記録媒体１のコンテンツに関連する付加情報を外部機器４から取得する状態になると、再生装置２はローカルストレージ２１の残容量を確認し、状態レジスタ２２のローカルストレージ２１の残容量の記憶領域Ｌｃ＃に残容量を記録する。そして、再生装置２は、記録媒体１のコンテンツに関連する付加情報を、記録媒体１に記録されている情報に基づいてアクセスした外部機器４から取得する。外部機器４からは、記録媒体１のコンテンツに関連する付加情報についての付加情報量が再生装置２に送信される。再生装置２は、ローカルストレージ２１の残容量と記録媒体１のコンテンツに関連する付加情報に関する付加情報量とを比較し、その比較結果を記録媒体１に通知する。ローカルストレージ２１の残容量が付加情報量よりも少ない場合には、記録媒体１のコンテンツに関連する付加情報を外部機器４から取得する前に、ローカルストレージ２１の残容量が少ないことを示す映像又はグラフィックスを出力機器３に表示させる。
【００４１】
図７は、実施の形態２に係る記録媒体１を再生する再生装置２内の状態レジスタ２２の情報格納領域の一例と情報格納領域に記録される情報の例を示す図である。この場合、記録媒体１に記録されているプログラムに基づいて動作する再生装置２は、以下のように動作する。記録媒体１のコンテンツに関連する付加情報、すなわち、外部機器４から取得する付加情報についての付加情報量を、状態レジスタ２２のローカルストレージ２１の残容量の記憶領域Ｌｃ＃と同様に、図７に示す記憶領域Ａｃ＃（＃＝０，１，…，７）に格納する。例えば、付加情報量の記憶領域Ａｃ＃は、付加情報量をギガバイト（ＧＢｙｔｅ）単位で表した場合の２進表示とする。例えば、付加情報量の記憶領域Ａｃ＃が、
｛Ａｃ７，Ａｃ６，Ａｃ５，Ａｃ４，Ａｃ３，Ａｃ２，Ａｃ１，Ａｃ０｝
＝｛０，０，０，０，１，０，１，０｝
と設定されていれば、付加情報量は、次式
（付加情報量）＝２７×Ａｃ７＋２６×Ａｃ６＋２５×Ａｃ５＋２４×Ａｃ４＋２３
×Ａｃ３＋２２×Ａｃ２＋２×Ａｃ１＋Ａｃ０    （ＧＢｙｔｅ）
から、
２３×Ａｃ３＋２１×Ａｃ１＝２３×１＋２１×１＝８＋２＝１０
であり、１０ギガバイトとなる。再生装置２は、記録媒体１に記録されているプログラムに基づいて、記録媒体１に状態レジスタ２２のローカルストレージ２１の残容量の記憶領域Ｌｃ＃の値と、付加情報量の記憶領域Ａｃ＃の値とを比較する。この比較の結果、ローカルストレージ２１の残容量が、関連する付加情報についての付加情報量よりも少ない場合には、記録媒体１のコンテンツに関連する付加情報の外部機器３からの取得前に、ローカルストレージ２１の残容量が少ないことを出力機器３に表す映像又はグラフィックスを表示する。
【００４２】
実施の形態２によれば、記録媒体１のコンテンツに関連する付加情報を外部機器４から入手する前に、ローカルストレージ２１に充分な残容量が存在するか否かを再生装置２の使用者に把握させることができる。また、ローカルストレージ２１の残容量と記録媒体１のコンテンツに関連する付加情報についての付加情報量の差分を表示することにより、記録媒体１のコンテンツに関連する付加情報を取得するために、ローカルストレージ２１に確保しなければならない残容量を再生装置２の使用者に示すことも可能になる。
【００４３】
また、ローカルストレージ２１の種類を示す情報を記憶する状態レジスタ２２の記憶領域Ｌｓ＃とローカルストレージ２１の接続状態を示す情報を記憶する状態レジスタ２２の記憶領域Ｌｌ＃の情報とを組み合わせてローカルストレージ２１の残容量が少ないことを表す映像又はグラフィックスを表示させる動作を再生装置２に実行させるプログラムを、記録媒体１に記録しておくことにより、記録媒体１のコンテンツに関連する付加情報を入手する場合に障害になっているローカルストレージ２１を具体的に認識することもできる。
【００４４】
図８は、実施の形態２に係る記録媒体１を再生装置２で再生するときの動作の一例を示すフローチャートである。実施の形態２において、記録媒体１のコンテンツに関連する付加情報を再生装置２のローカルストレージ２１に記録し、記録媒体１のコンテンツとローカルストレージ２１に記録された付加情報とを併せて再生する方法について図８を用いて説明する。なお、図８において、図４と同一又は相当する箇所には同一の符号を付す。
【００４５】
ステップＳ１０〜Ｓ１２は、実施の形態１（図４）におけるステップと同一である。ステップＳ１２の後、記録媒体１に記録されているプログラムに基づいて動作する再生装置２は、以下の処理を実行する。再生装置２は、ローカルストレージ２１の種類を示す情報を記憶する状態レジスタ２２の記憶領域Ｌｓ＃から情報を読み出し、再生装置２の装置状態を示す情報を再生装置２の状態レジスタ２２から読み出す（ステップＳ２３）。次に、再生装置２は、ローカルストレージ２１の接続状態を示す情報、すなわち、ローカルストレージ２１の接続状態を示す情報を記憶する状態レジスタ２２の記憶領域Ｌｌ＃の情報を、状態レジスタ２２から読み出す（ステップＳ２４）。ローカルストレージ２１の種類を示す情報を記憶する状態レジスタ２２の記憶領域Ｌｓ＃の情報とローカルストレージ２１の接続状態を示す情報を記憶する状態レジスタ２２の記憶領域Ｌｌ＃の情報とを、＃毎に比較し、すべての＃に関してローカルストレージ２１の種類を示す情報を記憶する状態レジスタ２２の記憶領域Ｌｓ＃の情報と、ローカルストレージ２１の接続状態を示す情報を記憶する状態レジスタ２２の記憶領域Ｌｌ＃の情報との一致が確認できれば（ステップＳ２５）、記録媒体１のコンテンツに関連する付加情報を、外部機器３から取り込み、ローカルストレージ２１に記録する（ステップＳ３０）。次に、記録媒体１のコンテンツの本編情報を、ローカルストレージ２１に記録された付加情報と併せて再生し（ステップＳ３１）、その後、処理を終了する（ステップＳ１９）。
【００４６】
ステップＳ２５においてローカルストレージ２１の種類を示す情報を記憶する状態レジスタ２２の記憶領域Ｌｓ＃の情報と、ローカルストレージ２１の接続状態を示す情報を記憶する状態レジスタ２２の記憶領域Ｌｌ＃の情報とを、＃毎に比較した結果が異なった場合について説明する。ローカルストレージ２１の種類を示す情報を記憶する状態レジスタ２２の記憶領域Ｌｓ０の情報が「１」であり、ローカルストレージ２１の接続状態を示す情報を記憶する状態レジスタ２２の記憶領域Ｌｌ０の情報が「０」である場合には、図６（ａ）に示すような予め記録媒体１に記録された映像又はグラフィックスを表示し（ステップＳ２６）、再生動作を終了する（ステップＳ１９）。また、ローカルストレージ２１の種類を示す情報を記憶する状態レジスタ２２の記憶領域Ｌｓ１の情報が「１」であり、ローカルストレージ２１の接続状態を示す情報を記憶する状態レジスタ２２の記憶領域Ｌｌ１の情報が「０」の場合には、図６（ｂ）に示すような予め記録媒体１に記録された映像又はグラフィックスを表示し（ステップＳ２７）、再生動作を終了する（ステップＳ１９）。ローカルストレージ２１の種類を示す情報を記憶する状態レジスタ２２の記憶領域Ｌｓ２の情報が「１」であり、ローカルストレージ２１の接続状態を示す情報を記憶する状態レジスタ２２の記憶領域Ｌｌ２の情報が「０」である場合、及び、ローカルストレージ２１の種類を示す情報を記憶する状態レジスタ２２の記憶領域Ｌｓ３の情報が「１」であり、ローカルストレージ２１の接続状態を示す情報を記憶する状態レジスタ２２の記憶領域Ｌｌ３の情報が「０」である場合は、図６（ｃ）又は図６（ｄ）に示すような映像又はグラフィックスを表示し（ステップＳ２８又はＳ２９）、再生動作を終了する（ステップＳ１９）。
【００４７】
なお、上記の説明において、ステップＳ２６，Ｓ２７，Ｓ２８，Ｓ２９のいずれかの実行後に、直ちに再生動作を終了（ステップＳ１９）する再生方法を説明したが、付加情報を使用せずに、記録媒体１に記録された本編情報のみを再生し（図４のステップＳ１８に相当するステップ）、その後に、動作を終了（ステップＳ１９）する再生方法を採用することもできる。
【００４８】
また、ローカルストレージ２１の残容量を状態レジスタ２２から読み取る残容量読み取りステップ（図示せず）を、図８におけるステップＳ２５とステップＳ３０との間に追加し、残容量読み取りステップの後に、ローカルストレージ２１の残容量と付加情報量とを比較する比較ステップ（図示せず）を行い、この比較ステップの比較結果に基づく処理を実行してもよい。例えば、ローカルストレージ２１の残容量が付加情報量よりも多い場合は、図８のステップＳ３０に移行し、ローカルストレージ２１の残容量が付加情報量より少ない場合には、直ちに再生動作を終了（ステップＳ１９）する方法を採用してもよい。また、直ちに再生動作を終了するステップの代わりに、記録媒体１に記録された本編情報のみを再生（ステップＳ１８）して、再生を終了（ステップＳ１９）する方法を採用してもよい。
【００４９】
以上に説明したように、実施の形態２によれば、記録媒体１のコンテンツに関連する付加情報を外部機器４から入手する場合に障害になっているローカルストレージ２１の状態を、具体的に認識することができる。
【００５０】
また、実施の形態２によれば、記録媒体１のコンテンツに関連する付加情報を外部機器４から入手する場合の障害の克服手段を知ることも可能となる。
【００５１】
さらに、実施の形態２によれば、記録媒体１のコンテンツに関連する付加情報を外部機器４から入手する前に、ローカルストレージ２１に充分な残容量が存在するか否かを再生装置２の使用者は把握することもできる。また、ローカルストレージ２１の残容量と、記録媒体１のコンテンツに関連する付加情報についての付加情報量との差分を表示することにより、記録媒体１のコンテンツに関連する付加情報を外部機器４から取得するために、ローカルストレージ２１が確保しなければならない残容量を、再生装置２の使用者に示すことも可能になる。
【００５２】
なお、実施の形態２において、上記以外の点は、上記実施の形態１の場合と同じである。
【００５３】
実施の形態３．
本発明の実施の形態３においては、記録媒体１に記録されているプログラムが、再生装置２に外部機器４から記録媒体１のコンテンツに関連する付加情報を取得させる際の、再生装置２と外部機器４との接続状態に関して説明する。なお、実施の形態３の説明に際しては、図１をも参照する。
【００５４】
図９は、本発明の実施の形態３に係る記録媒体１を再生する再生装置２内の状態レジスタ２２の情報格納領域の一例と情報格納領域に記録される情報の例を示す図である。再生装置２が外部機器４とアクセス可能になる条件のうち、再生装置２が確認できる項目を抽出し、抽出した項目毎の状態を記録する領域を状態レジスタ２２内に保有する。例えば、図９に示すように、状態レジスタ２２の外部機器用ケーブルの接続状態を示す情報を記憶する状態レジスタ２２の記憶領域Ｄｉ０は、再生装置２を外部機器４に接続するケーブルが装着されているか否かを示す情報を記憶する領域であり、再生装置２は、ケーブルが外部機器用インタフェース２５に装着されていれば外部機器用ケーブルの接続状態を示す情報の記憶領域Ｄｉ０に「１」を設定し、ケーブルが外部機器用インタフェース２５に装着されていなければ外部機器用ケーブルの接続状態を示す情報の記憶領域Ｄｉ０に「０」を設定する。
【００５５】
また、状態レジスタ２２のハブの動作状態を示す情報の記憶領域Ｄｉ１は、再生装置２に接続されているケーブルに接続されるハブ（図示せず）が動作しているか否かを示す情報を記憶する領域であり、再生装置２は、ハブが動作していればハブの動作状態を示す情報の記憶領域Ｄｉ１に「１」を設定し、ハブが動作していなければハブの動作状態を示す情報の記憶領域Ｄｉ１に「０」を設定する。また、状態レジスタ２２内のアクセス先にアクセス可能か否かを示す情報の記憶領域Ｄｉ２は、記録媒体１が指定する外部機器４のアクセス先とアクセスが可能か否かを示す情報を記憶する領域であり、再生装置２は、指定アクセス先とアクセスができればアクセス先にアクセス可能か否かを示す情報の記憶領域Ｄｉ２に「１」を設定し、指定アクセス先とアクセスできなければアクセス先にアクセス可能か否かを示す情報の記憶領域Ｄｉ２に「０」を設定する。状態レジスタ２２内の再生装置２の受信側設定が完了しているか否かを示す情報の記憶領域Ｄｉ３は、再生装置２が受信側としての設定が完了しているか否かを示す部分であり、再生装置２は、受信側としての設定が完了していれば再生装置２の受信側設定が完了しているか否かを示す情報を記憶する状態レジスタ２２の記憶領域Ｄｉ３に「１」を設定し、受信側としての設定が完了していなければ再生装置２の受信側設定が完了しているか否かを示す情報を記憶する状態レジスタ２２の記憶領域Ｄｉ３に「０」を設定する。再生装置２は、記憶領域Ｄｉ４，Ｄｉ５，Ｄｉ６，Ｄｉ７は、現時点では未定義の領域として、「１」を設定する。
【００５６】
図１０（ａ）乃至（ｄ）は、実施の形態３に係る記録媒体１に予め記録されているメッセージ情報（例えば、映像情報及びグラフィックス情報）の例を示す図である。記録媒体１に記憶されているプログラムは、再生装置２を、以下のように動作させる。記録媒体１には記憶領域Ｄｉ＃に対応して、図１０（ａ）乃至（ｄ）に示す再生装置２と外部機器４との接続に関するコンテンツであるメッセージ情報が予め記録されている。記録媒体１が再生装置２に挿入され、記録媒体１に記録されているプログラムは、記録媒体１のコンテンツに関連する付加情報を外部機器４から取得する動作を再生装置２に実行させる。そのとき、状態レジスタ２２の記憶領域Ｄｉ＃に記憶される情報が、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，１，０，０，０｝
である場合には、図１０（ａ）のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，１，０，０，１｝
である場合には、図１０（ｂ）のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，１，０，１，１｝
である場合には、図１０（ｃ）のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，０，１，１，１｝
である場合には、図１０（ｄ）のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，０，０，０，０｝
である場合には、図１０（ａ）及び（ｄ）の両方のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，０，０，０，１｝
である場合には、図１０（ｂ）及び（ｄ）の両方のメッセージ表示を再生し、
｛Ｄｉ７，Ｄｉ６，Ｄｉ５，Ｄｉ４，Ｄｉ３，Ｄｉ２，Ｄｉ１，Ｄｉ０｝
＝｛１，１，１，１，０，０，１，１｝
である合には、図１０（ｃ）及び（ｄ）の両方のメッセージ表示を再生する。
【００５７】
実施の形態３によれば、記録媒体１のコンテンツに関連する付加情報を外部機器４から取得する前に、再生装置２と外部機器４との接続状態で不具合がある場合には、再生装置２の使用者に対し不具合の原因を示すことが可能になる。
【００５８】
図１１は、実施の形態３に係る記録媒体１を再生装置２で再生するときの動作の一例を示すフローチャートである。実施の形態３において、記録媒体１のコンテンツに関連する付加情報を再生装置２のローカルストレージ２１に記録し、記録媒体１のコンテンツとローカルストレージ２１に記録された付加情報とを併せて再生する方法について図１１を用いて説明する。なお、図１１において、図４又は図８と同一又は相当する箇所には同一の符号を付す。
【００５９】
ステップＳ１０〜Ｓ１２は、実施の形態１（図４）におけるステップと同一である。ステップＳ１２の後、記録媒体１に記録されているプログラムに基づいて動作する再生装置２は、以下の処理を実行する。再生装置２は、再生装置２と外部機器４との接続状態の良否情報を記憶する記憶領域Ｄｉ＃の情報を、再生装置２の状態レジスタ２２から読み出す（ステップＳ４３）。再生装置２は、ステップＳ４４において、再生装置２と外部機器４との接続状態が良好な場合、すなわち、すべての＃に関してＤｉ＃が「１」である場合には、記録媒体１のコンテンツに関連する付加情報を外部機器４から入手し、ローカルストレージ２１に記録する（ステップＳ４９）。ステップＳ４９の実施後、再生装置２は、ステップＳ３１では記録媒体１に記録されている本編情報とローカルストレージ２１に記録された付加情報を併せた再生を行い（ステップＳ３１）、その後、再生を終了する（ステップＳ１９）。
【００６０】
ステップＳ４４において、再生装置２と外部機器４との接続状態が不良な場合について、Ｃａｓｅ１、Ｃａｓｅ２、及びＣａｓｅ３の３種類が存在する場合を例に取り説明する。再生装置２は、ステップＳ４５において記憶領域Ｄｉ＃から接続状態不良の状態を類別し、類別結果が不良状態Ｃａｓｅ１である場合には、例えば、図１０（ａ）に示すような接続不良状態がＣａｓｅ１であることを示す映像又はグラフィックスを表示して（ステップＳ４６）、再生動作を終了する（ステップＳ１９）。再生装置２は、ステップＳ４５において記憶領域Ｄｉ＃から接続状態不良の状態を類別し、類別結果が不良状態Ｃａｓｅ２である場合には、例えば、図１０（ｂ）に示すような接続不良状態がＣａｓｅ２であることを示す映像又はグラフィックスを表示して（ステップＳ４７）、再生動作を終了する（ステップＳ１９）。同様に、再生装置２は、ステップＳ４５において記憶領域Ｄｉ＃から接続状態不良の状態を類別し、類別結果が不良状態Ｃａｓｅ３である場合には、例えば、図１０（ｃ）に示すような接続不良状態がＣａｓｅ３であることを示す映像又はグラフィックスを表示して（ステップＳ４８）、再生動作を終了する（ステップＳ１９）。
【００６１】
なお、上記の説明において、ステップＳ４６，Ｓ４７，又はＳ４８の実行後、直ちに再生動作を終了（ステップＳ１９）する再生方法を説明したが、付加情報を使用せずに、記録媒体１に記録された本編情報のみを再生し（図４のステップＳ１８に相当するステップ）、その後に、動作を終了（ステップＳ１９）する再生方法を採用することもできる。
【００６２】
以上に説明したように、実施の形態３によれば、記録媒体１のコンテンツに関連する付加情報を入手する前に再生装置２と外部機器４との接続状態で不具合がある場合には、再生装置２の使用者に対し不具合の原因を示すことが可能になる。
【００６３】
なお、実施の形態３において、上記以外の点は、上記実施の形態１又は２の場合と同じである。
【符号の説明】
【００６４】
１  記録媒体、  ２  再生装置、  ３  出力機器、  ４  外部機器、  ２１  ローカルストレージ、  ２２  状態レジスタ、  ２３  再生部、  ２４  出力部、  ２５  外部機器用インタフェース、  ２６  操作部、  ２７  制御部、  ３１  テレビ、  ３２  オーディオアンプ、  ３３，…，３７  スピーカー。
【図１】
2010262717.tif 000003
【図２】
2010262717.tif 000004
【図３】
2010262717.tif 000005
【図４】
2010262717.tif 000006
【図５】
2010262717.tif 000007
【図６】
2010262717.tif 000008
【図７】
2010262717.tif 000009
【図８】
2010262717.tif 000010
【図９】
2010262717.tif 000011
【図１０】
2010262717.tif 000012
【図１１】
2010262717.tif 000013